(57)【要約】【課題】事務机を工具を使用せずに折り畳める上に，折り畳んだ状態の時の体積が平面の板状になる様に非常に縮小される事務机の折り畳み装置を提供する。【解決手段】事務机の上板５の裏面に固設される枠１と上板５の前側の下に配置される前板６と、枠１と前板６を二本の連結具で枢軸的に連結させて，上板５と枠１が後に少し引かれたら，上板５と枠１が後に向って少し上昇でき、且つ二本の板脚４が複数の蝶番４１によって前板６の裏面の左右両側に連結され，前記板脚４１が前板６のそばに折り畳まれた後、上板５と枠１が折り畳まれた板脚４１のそばに垂直に折り畳められる。【選択図】  図１
0003152763.tif 000002
【実用新案登録請求の範囲】
【請求項１】
事務机の上板の裏面に固設され、二本の横棒と二本の縦棒とを有し、前記二本の縦棒は下側面に複数のほぞが適当な間隔で設置されていて、更に前記二本の縦棒の外側面の前端部にピボット孔が形成されている枠と、
前記上板の前側の下に垂直状に配置される前板の左右両側の上端に、前端が固く連結され、且つ後方に伸びて、横向きＵ字型の断面を持ち、且つその内側壁に前後に斜めに上昇するスロットを形成し、前記スロットは前記枠の前記ピボット孔と指し向かうように構成される二本の連結具と、
ボタン部と該ボタン部から伸び出るピボット部とを有し、前記ピボット部は雄ねじを有し、前記ピボット部は前記連結具の前記スロットを外側から差しこまれて貫通し、前記タン部は前記スロットの外に位置し、前記ピボット部は前記枠の前記ピボット孔と固くねじ合い、前記ピボット部は前記スロットの中で前後に移動できる、二個のピボット付きボタンと、
横向きのＵ字型板状にして、複数の蝶番で垂直の前側面が前記前板の後側面の左右両側に動けるように連結され、その上側面には前記ほぞと対応付けられている複数のほぞ孔を有し、相互にはまり合うように構成している二本の板脚と、
をそなえる折り畳み事務机。
【考案の詳細な説明】
【技術分野】
【０００１】
本考案は折り畳み事務机に関する。
【背景技術】
【０００２】
従来のある事務机はその体積が大きい上に、熔接の方式で組み合わせているので折り畳められないので、包装や貯蔵や運送の時に、場所を大きく取るから、コストが高くなると共に、取り扱いが不便である。それで組み合わせ式のものが色々市場に出されているが、大体ねじを使用して部品を組み付けて包装や運送する時の体積を縮小している。然し、このねじによる組み合わせ方法ではドライバー等を使用せねばならず、且つ使用されるねじも相当多いので時間がかかりそんなに便利でない欠点がある。
【０００３】
従来の事務机は上述の外に、折り畳み式のものも市場にあって、使用しない時、又包装する場合には直立する様に折り畳んで、使用する時に平面に展開させる様にしている、ところが机の脚はやはり固定式で折り畳められないので、たとえ机を折り畳んだ時でもＴ型なのでその体積をとても小さく縮小できない。
【考案の概要】
【考案が解決しようとする課題】
【０００４】
それで上述の従来の事務机の折り畳めない脚を折り畳める様にさせて事務机の上板と合せられる様にして、折り畳んだ時にはその体積が非常に縮小された状態になり、包装や運送に便利にする外、又工具を全然使用せずに手で操作して折り畳める折り畳み事務机を提供する事をその課題とする。
【課題を解決するための手段】
【０００５】
最初に二本の横棒と二本の縦棒で枠を作りこの枠を机の裏面に固く付設し、各縦棒の下端にピボット孔を設け、且つ縦棒の後側面に複数のほぞを凸出する様に設ける、次に前板を事務机の上板の前側の下に垂直に配置し、二本の連結具で前端を前板左右両側の上端に固く付設する。各連結具は横向きのＵ字型にして、その内側壁に前から後ろに上方に傾斜するスロットを設けておき、別に雄ねじを持つピボット部とボタン部を持つピボット付きボタンを作り、そのピボット部を連結具のスロットに外側から差し込んで貫通させてボタン部をスロットの外側に置いて、ピボット部は更に枠のピボット孔と固くねじ合せて置く。それでピボット付きボタンは連結具を回転可能に枠に連結するから、それで上板と枠は一緒に連結具によって回転可能に前板と連結されて、上板と枠はスロットの長さで前後に引け動かされる。それて上板と枠が後の方にスロットの長さに引かれたらスロットが傾斜しているので、上板と枠は一緒に後端が少し上昇する。更に二本の横向きＵ字型板状の板脚を作りその前側を複数の蝶番で前板の左右両側に動ける様に連結させて、且つ各板脚の上側面に枠のほぞと対応付けられているほぞ孔を設けて、相互にはまり合う様にする。それで上板と枠とは板脚のすぐ上に安定させることができるし、又上板と枠とが一緒に板脚から離れて斜めに上昇できるから、板脚を蝶番で以って前板の方に推し畳んだあと、上板と枠とが共に連結具で以って折り畳まれた板脚に向けて下に推し畳みられる、それで折り畳んだ事務机は平面の板状になり体積が非常に小さくなる。
【考案の効果】
【０００６】
本考案の二本の板脚は、机の展開した状態から簡単に蝶番の使用により前板の方に押し畳められる。又上板とその裏面に固設されている枠は、ピボット付きボタンの作用で簡単に前板の方に折り畳まれた二本の板脚のそばにおし付けて畳まれた状態になるので、その折り畳みの作動が簡単で、折り畳んだ時は一枚の平面板状になって、体積がとても縮小される上に、折り畳みの作業は工具を全然使用しないため便利である。
【図面の簡単な説明】
【０００７】
【図１】本考案の一実施形態による折り畳み事務机の立体分解図である。
【図２】本考案の一実施形態による折り畳み事務机を組み合わせて展開した状態の後面である。
【図３】本考案の一実施形態による折り畳み事務机の中の上板と一緒の枠が後に少し引かれて、その後端が上昇した状態の側面図である。
【図４】本考案の一実施形態による折り畳み事務机の中の二本の板脚が折り畳まれた状態の後面図である。
【図５】本考案の一実施形態による折り畳み事務机が完全に折り畳まれた状態の斜視図である。
【考案を実施するための形態】
【０００８】
本案の一実施形態の折り畳み事務机は図１が示す様に、枠１と二本の連結具２と、二個のピボット付きボタン３と二本の板型脚４と前板６とで組み合せて構成させる。
【０００９】
枠１は二横棒と二縦棒１１とで組み付けて作り、事務机の上板５の底面に固定される、次に二縦棒１１はその下表面に二個のほぞ１２をある間隔で突出して設けてあり、又其の底部の外表面には各ピボット孔１３をあけている。
【００１０】
連結具２は横向きのＵ字型の断面にして、その底部に前から後に上向けに傾斜する一スロット２１を形成し、このスロット２１はちょうど枠１の縦棒１１のピボット孔１３と指し向っている。それで連結具２はその前端が前板６の両側上端に固設されている。
【００１１】
ピボット付きボタン３はそのボタン部から伸びるピボット部３１を持ち、このピボット部３１は雄ねじを切っていて、それでこのピボット部３１は各連結具２のスロット２１に差し込まれて通過したあと、各縦棒１１のピボット孔１３に固定される。それで二本の連結具２は前板６と枠１とを枢軸的に連結し、且つ二本のピボット付きボタン３が連結具２のスロット２１の中で前後に動ける作用により、机の上板５と一緒に付けている枠１は図３に示す様に、少し後方にスロット２１の長さに引かれたら、枠１と上板５は一緒にその後端が上昇して傾斜した状態になる。
【００１２】
二本の板脚４は横向きのＵ字型板状にして、その前端垂直面に二個の蝶番４１が上下に間隔をおいて設置され、蝶番は前板６の左右両側端と連結される。二個の蝶番４１の作用で二枚の板脚４は前板６に向け推し付けられ折り畳められて、前板６の後面に平行に並べられる。更に各板脚４は枠１の各縦棒１１の二本のほぞ１２と対応付けられている二個のほぞ孔４２を形成して、二本の板脚４が折り畳まれた状態から外に押し広げられた時、枠１のほぞ１２は板脚４の二個のほぞ孔４２とはまり合って、枠１は二本の板脚４に受け止められた状態になり、この事務机は展開されて使用できる形になる。
【００１３】
図２が示す様に、二本の板脚４は二個のピボット付きボタン４１の作用で、前板６から後ろの方におし広げられ前板６と直角の状態になる、又枠１の二本の縦棒１１の二個のほぞ１２が板脚４のほぞ孔４２にはまり合って安定され、なほ板脚４は枠１と机の上板５とを全部支えて完全に展開した事務机となる。
【００１４】
又図３と４とが示す様に、展開された事務机を折り畳む場合には、先に上板５と枠１とを前板６に対して後に少し引けば、スロット２１の中に嵌っているピボット付きボタン３の作用により、上板５と枠１はその後端が少し上昇して、それで縦棒１１は板脚４から離れて、縦棒１１のほぞ１２は板脚４のほぞ孔４２から抜け出す。それで板脚４は蝶番４１の作用で前板６の後側面におし畳まれる。縦棒１１を下の方にピボット付きボタン３の作用で回転可能に下に押したら、枠１全体と上板５とは一緒に折り畳まれた板脚４のそばにより沿う状態に折り畳められて、この事務机は完然に折り畳められる。
【符号の説明】
【００１５】
１：枠、２：連結具、３：ピボット付きボタン、４：板脚、５：上板、６：前板、
１１：縦棒、１２：ほぞ、１３：ピボット、２１：スロット、３１：ピボット、４１：蝶番、４２：ほぞ孔
【図１】
0003152763.tif 000003
【図２】
0003152763.tif 000004
【図３】
0003152763.tif 000005
【図４】
0003152763.tif 000006
【図５】
0003152763.tif 000007